(57)【要約】【課題】発振回路の実際の発振周波数に拘わらず発振周波数が受信周波数に影響を与えないようにし、ひいては、受信への影響を低減する。【解決手段】発振回路１８の発振信号に基づいて外部の直流電源からの入力電圧を所定の出力電圧に変換して前記受信回路に電力を供給するＤＣ／ＤＣコンバーター部２０を備えた受信装置１０は、発振回路の発振周波数を検出する発振周波数モニター部２１と、受信周波数が検出した発振周波数の略整数倍となっている場合に、発振回路１８における発振周波数を変更するコントロール部１２と、を備える。【選択図】図１
2011035500.tif 000002
【特許請求の範囲】
【請求項１】
所定の受信周波数の電波を受信する受信回路と、出力電圧を規定する発振周波数を有する発振信号を生成する発振回路を有し、前記発振信号に基づいて外部の直流電源からの入力電圧を所定の出力電圧に変換して前記受信回路に電力を供給するＤＣ／ＤＣコンバーター部と、を備えた受信装置において、
前記発振回路の発振周波数を検出する検出部と、
前記受信周波数が検出した前記発振周波数の略整数倍となっている場合に、前記発振回路における前記発振周波数を変更する周波数変更部と、
を備えたことを特徴とする受信装置。
【請求項２】
請求項１記載の受信装置において、
前記周波数変更部は、前記出力電圧が所定の出力電圧範囲に収まるように前記発振周波数を変更することを特徴とする受信装置。
【請求項３】
請求項２記載の受信装置において、
前記周波数変更制御部は、前記受信周波数に基づいて、予め定めた３以上の発振周波数のうちから、その発振周波数の略整数倍が前記受信周波数となる発振周波数以外のいずれかの発振周波数を変更先の発振周波数として選択する、
ことを特徴とする受信装置。
【請求項４】
請求項２記載の受信装置において、
前記周波数変更制御部は、前記受信周波数に基づいて前記発振回路に所定の複数の発振周波数のうちから選択したいずれかの発振周波数に前記発振周波数を変更させるとともに、前記受信周波数が前記所定の複数の発振周波数のいずれについても略整数倍となっている場合に、前記所定の複数の発振周波数以外の周波数に前記発振周波数を変更させる、
ことを特徴とする受信装置。
【請求項５】
所定の受信周波数の電波を受信する受信回路と、出力電圧を規定する発振周波数を有する発振信号を生成する発振回路を有し、前記発振信号に基づいて外部の直流電源からの入力電圧を所定の出力電圧に変換して前記受信回路に電力を供給するＤＣ／ＤＣコンバーター部と、を備えた受信装置の制御方法において、
前記発振回路の発振周波数を検出する検出過程と、
前記受信周波数が検出した前記発振周波数の略整数倍となっている場合に、前記発振回路における前記発振周波数を変更する周波数変更過程と、
を備えたことを特徴とする受信装置の制御方法。
【発明の詳細な説明】
【技術分野】
【０００１】
本発明は、受信装置および受信装置の制御方法に係り、特にスイッチング電源回路としてのＤＣ／ＤＣコンバータを備えた受信装置および受信装置の制御方法に関する。
【背景技術】
【０００２】
従来、スイッチング電源回路としてのＤＣ／ＤＣコンバータを備えたラジオ受信装置が知られている。
このようなラジオ受信装置においては、ＤＣ／ＤＣコンバータを構成する発振回路は、ノイズ源として働くため、発振回路の発振周波数によっては、ラジオ受信の受信周波数にノイズとして現れ、受信状態に影響を与える可能性があった。
そこで、これを解決するために、特許文献１においては、ラジオ受信装置の全受信帯域において、発振回路の周波数あるいは発振回路の周波数の整数倍の周波数が受信周波数前後の周波数帯域に属しないように、受信周波数帯域に対応させて発振回路の発振周波数を予め定めた複数の周波数の間で切り替えるようにした受信装置が提案されている（例えば、特許文献１参照）。
【先行技術文献】
【特許文献】
【０００３】
【特許文献１】特開平７−２６４０８３号公報
【発明の概要】
【発明が解決しようとする課題】
【０００４】
特許文献１記載の受信装置においては、全受信周波数帯域において、ＤＣ／ＤＣコンバータを構成している発振器の発振周波数が、受信周波数の略整数分の１の周波数とならないように、すなわち、受信周波数が発振周波数の略整数倍となり干渉を起こさないように、予め定めた二つの発振周波数のうち、受信周波数の略整数分の１の周波数とならない周波数を選択して、切り替える構成を採っていた。
ところで、予め定めた発振周波数と、実際に発振回路から出力されている発振周波数とは、デバイスとしての発振器のばらつきにより異なる場合があり、受信周波数が実際の発振周波数の略整数倍となってしまうおそれがあった。
したがって、切替後の発振周波数が受信周波数に影響を与える可能性が生じ、実効的に受信状態の低下を招くおそれがあった。
そこで、本発明の目的は、発振回路の実際の発振周波数に拘わらず発振周波数が受信周波数に影響を与えないようにし、ひいては、受信への影響を低減することが可能な受信装置および受信装置の制御方法を提供することにある。
【課題を解決するための手段】
【０００５】
上記課題を解決するため、本発明の第１態様は、所定の受信周波数の電波を受信する受信回路と、出力電圧を規定する発振周波数を有する発振信号を生成する発振回路を有し、前記発振信号に基づいて外部の直流電源からの入力電圧を所定の出力電圧に変換して前記受信回路に電力を供給するＤＣ／ＤＣコンバーター部と、を備えた受信装置において、前記発振回路の発振周波数を検出する検出部と、前記受信周波数が検出した前記発振周波数の略整数倍となっている場合に、前記発振回路における前記発振周波数を変更する周波数変更部と、を備えたことを特徴とする。
上記構成によれば、検出部は、発振回路の発振周波数を検出し、周波数変更部は、実際の受信周波数が検出部により検出された発振周波数の略整数倍となっている場合に、発振回路における発振周波数を変更する。
したがって、発振回路の発振周波数が受信周波数に影響を与えないようにできる。
【０００６】
本発明の第２態様は、第１態様において、前記周波数変更部は、前記出力電圧が所定の出力電圧範囲に収まるように前記発振周波数を変更することを特徴とする。
上記構成によれば、ＤＣ／ＤＣコンバーター部の出力電圧が所定の出力電圧範囲に収まるように発振周波数を変更するので、受信装置の各部の動作に影響を与えることなく、発振回路の発振周波数が受信に与える影響を低減できる。
【０００７】
本発明の第３態様は、第２態様において、前記周波数変更制御部は、前記受信周波数に基づいて、予め定めた３以上の発振周波数のうちから、その発振周波数の略整数倍が前記受信周波数となる発振周波数以外のいずれかの発振周波数を変更先の発振周波数として選択する、ことを特徴とする。
上記構成によれば、予め定めた３以上の発振周波数のうちから、その発振周波数の略整数倍が受信周波数となる発振周波数以外のいずれかの発振周波数を変更先の発振周波数として選択するので、発振回路の発振周波数が受信に与える影響を低減できる。
【０００８】
本発明の第４態様は、第２態様において、前記周波数変更制御部は、前記受信周波数に基づいて前記発振回路に所定の複数の発振周波数のうちから選択したいずれかの発振周波数に前記発振周波数を変更させるとともに、前記受信周波数が前記所定の複数の発振周波数のいずれについても略整数倍となっている場合に、前記所定の複数の発振周波数以外の周波数に前記発振周波数を変更させる、ことを特徴とする。
上記構成によれば、周波数変更制御部は、受信周波数が所定の複数の発振周波数のいずれについても略整数倍となっているか否かを判別し、受信周波数が所定の複数の発振周波数のいずれについても略整数倍となっている場合には、所定の複数の発振周波数以外の周波数に前記発振周波数を変更させ、受信周波数が所定の複数の発振周波数のうち、略整数倍となっていない発振周波数がある場合には、当該略整数倍となっていない発振周波数うちからいずれかの発振周波数に発振周波数を変更させる。
したがって、発振回路の発振周波数が受信に与える影響を低減できる。
【０００９】
本発明の第５態様は、所定の受信周波数の電波を受信する受信回路と、出力電圧を規定する発振周波数を有する発振信号を生成する発振回路を有し、前記発振信号に基づいて外部の直流電源からの入力電圧を所定の出力電圧に変換して前記受信回路に電力を供給するＤＣ／ＤＣコンバーター部と、を備えた受信装置の制御方法において、前記発振回路の発振周波数を検出する検出過程と、前記受信周波数が検出した前記発振周波数の略整数倍となっている場合に、前記発振回路における前記発振周波数を変更する周波数変更過程と、を備えたことを特徴とする。
上記構成によれば、発振回路の発振周波数を検出し、実際の受信周波数が検出された発振周波数の略整数倍となっている場合に、発振回路における発振周波数を変更するので、発振回路の発振周波数が受信周波数に影響を与えないようにできる。
【発明の効果】
【００１０】
本発明によれば、発振回路の実際の発振周波数に拘わらず発振周波数が受信周波数に影響を与えないようにし、発振回路（デバイス）のばらつきに起因する発振周波数のばらつきが生じている場合でも、受信への影響を低減することができる。
【図面の簡単な説明】
【００１１】
【図１】実施形態の受信装置の概要構成ブロック図である。
【図２】ＤＣ／ＤＣコンバーター部の概要構成説明図である。
【図３】発振周波数設定部の概要構成図である。
【図４】第１実施形態の発振周波数変更処理を含む受信処理の処理フローチャートである。
【図５】第２実施形態の発振周波数変更処理を含む受信処理の処理フローチャートである。
【発明を実施するための形態】
【００１２】
次に本発明の好適な実施の形態について、図面を参照して説明する。
［１］第１実施形態
図１は、実施形態の受信装置の概要構成ブロック図である。
受信装置１０は、車載バッテリー（直流電源）１１から供給された電力で動作する車載用受信装置として構成されており、大別すると、当該受信装置１０を制御するためにマイクロコンピューターとして構成されたコントロール部１２と、コントロール部１２の制御下でアンテナ１３を介して所定の受信周波数の放送電波を受信し、受信信号を出力するチューナー部１４と、入力された受信信号に対する各種信号処理を行って音声信号として出力する信号処理（ＤＳＰ）部１５と、音声信号を増幅して増幅音声信号としてスピーカー部１６に出力するアンプ部１７と、出力電圧を規定する発振周波数を有する発振信号を生成する発振回路１８およびこの発振回路の発振周波数を設定するための発振周波数設定部１９を有し、車載バッテリー１１からの入力電圧ＶＩＮを発振信号に基づいて電圧変換して所定の出力電圧ＶＯＵＴに変換して、受信装置１０の各部に出力するスイッチング電源としてのＤＣ／ＤＣコンバーター部２０と、発振回路１８の発振周波数を検出し、検出した発振周波数をコントロール部１２に通知する発振周波数モニター部２１と、を備えている。
【００１３】
図２は、ＤＣ／ＤＣコンバーター部の概要構成説明図である。
ＤＣ／ＤＣコンバーター部２０は、上述した発振回路１８および発振周波数設定部１９に加えて、発振回路１８が出力した発振周波数ｆＯの発振信号が一方の入力端子に入力され、他方の入力端子に基準電圧Ｖｒｅｆが入力され、スイッチングパルス信号ＳＳＷを生成するコンパレーター３１と、コンパレータ３１の出力端子がベース端子Ｂに接続されて、スイッチングパルス信号ＳＳＷが入力され、エミッタ端子Ｅが入力端子Ｔ１２を介して車載バッテリー１１の負極側に接続されたスイッチング用ＮＰＮトランジスター３２と、スイッチング用ＮＰＮトランジスター３２のコレクタ端子Ｃに一端が接続され、他端が入力端子Ｔ１１を介して車載バッテリー１１の正極側に接続されたコイル３３と、アノード端子Ａがスイッチング用ＮＰＮトランジスター３２のコレクタ端子Ｃに接続され、カソード端子Ｋが出力端子Ｔ２１に接続されたダイオード３４と、正極側がダイオード３４と出力端子Ｔ２１との接続点に接続され、負極側が、スイッチング用ＮＰＮトランジスター３２のエミッタ端子Ｅと出力端子Ｔ２２との接続点に接続された電解コンデンサー３５と、を備えている。
上記構成において、ダイオード３４および電解コンデンサー３５は、共働し、変圧後の出力電圧ＶＯＵＴのリップルを除去する平滑回路として機能している。
【００１４】
図３は、発振周波数設定部の概要構成図である。
発振周波数設定部１９は、発振回路１８に対し、その発振周波数を設定するための外付抵抗回路として構成されており、コントロール部１２からの切替制御信号ＣＳＷを構成する第１切替制御信号ＣＳＷ１に基づいて接続する後述する外付抵抗素子を選択的に発振回路の制御端子に接続する切替スイッチＳＷと、第１外付抵抗Ｒ１、第２外付抵抗Ｒ２および第３外付抵抗ＲＶと、を備えている。
【００１５】
ここで、第１外付抵抗Ｒ１および第２外付抵抗Ｒ２は、固定抵抗として構成されている。なお、第１外付抵抗Ｒ１および第２外付抵抗Ｒ２は、それぞれ一つの抵抗素子で構成されているわけではなく、最適な抵抗値を得るために、複数の抵抗素子を直列に接続して構成している。
また、第３外付抵抗ＲＶは、可変抵抗として構成されており、コントロール部１２からの切替制御信号ＣＳＷを構成する第２切替制御信号ＣＳＷ２に基づいてその抵抗値が可変される。具体的には、第３外付抵抗ＲＶは、ポテンショメーターあるいはラダー抵抗回路として構成されている。
ＤＣ／ＤＣコンバーター部２０を構成している発振回路１８の周波数は、上述したように外付抵抗の値を変更することにより変更可能となっている。
【００１６】
ここで、具体的な外付抵抗値の値設定について説明する。
仮に発振回路１８による発振周波数のばらつきが、外付抵抗の抵抗値によってのみ発生するとし、その発振周波数（発振中心周波数）を、例えば、４１５ｋＨｚに相当するものに設定したとする。
この場合に、第１外付抵抗Ｒ１あるいは第２外付抵抗Ｒ２の抵抗値の許容差を１％とすると、発振周波数は、中心値を４１５ｋＨｚとした場合、４１０．５ｋＨｚ〜４１９．２ｋＨｚの範囲でばらつきが生じる可能性がある。
しかしながら、実際には、第１外付抵抗Ｒ１および第２外付抵抗Ｒ２をそれぞれ２個の直列接続した抵抗素子で構成することもあり、この場合には、それぞれの抵抗素子の抵抗値の許容差を１％とすると、最大で許容差２％となり、中心値を４１５ｋＨｚとした場合、４０６．７ｋＨｚ〜４２３．３ｋＨｚの範囲でばらつきが生じる可能性がある。
【００１７】
さらに発振回路１８の発振周波数のばらつきが、例えば、トータルで±７％あったとすると、中心値を４１５ｋＨｚとした場合、３８６．０ｋＨｚ〜４４０．５ｋＨｚの範囲でばらつきが生じる可能性がある。
さらにまた、外付抵抗の抵抗値および発振回路１８のばらつきは、それぞれ独立しているため、逆方向へのばらつき（一方が低周波数側で他方が高周波数側へばらつく場合）はキャンセルしあうが、同方向へのばらつき（例えば、双方が低周波数側にばらつく場合）は相乗効果により、より大きく発振周波数がずれることとなる。
【００１８】
より詳細には、チューナー部１４において、８９１ｋＨｚを受信している場合に、発振回路１８が一方の発振周波数（設計値４１５ｋＨｚ）として発振周波数４４４．０５ｋＨｚ（基本波）で発振していた場合、発振周波数の第２高調波は、８８８．１ｋＨｚとなり、受信周波数８９１ｋＨｚに近いことから、互いに干渉し合い、第２高調波は、受信周波数に対してノイズ成分として働くこととなり、受信状態の悪化を招くこととなる。
同様に発振回路１８が、他方の発振周波数（設計値４６５ｋＨｚ）は、同様に４９４．０５ｋＨｚ付近で発振することとなる。
【００１９】
したがって、抵抗および発振回路デバイスのばらつき範囲でソフトウェア的に発振回路１８の発振周波数を切り替えようとしても、理論的に８４６ｋＨｚ〜９０９ｋＨｚの範囲では、どちらの発振周波数（上述の例の場合、設計値４１５ｋＨｚあるいは４６５ｋＨｚ）でも干渉を起こす可能性がある範囲となり、プログラム的にどちらの発振周波数を用いたらよいのか判別できないこととなる。
このため、本実施形態においては、発振回路１８の実際の発振周波数をモニターし、ユーザーが選択している受信周波数と発振周波数とを比較し、発振回路１８の発振周波数が影響があると考えられる発振周波数である場合には、他方の周波数あるいはその他の周波数に切り替えることで、ラジオ受信への影響を低減している。
【００２０】
次に第１実施形態の具体的な動作について説明する。
図４は、第１実施形態における発振周波数変更処理を含む受信処理の処理フローチャートである。
まず、チューナー部１４は、受信周波数ｆＲで受信処理を行う（ステップＳ１１）。
一方、ＤＣ／ＤＣコンバーター部２０は、車載バッテリー１１からの入力電圧ＶＩＮに基づいて発振周波数設定部１９が、スイッチング周波数に相当する発振周波数を発振回路１８が出力するように設定を行う。
これにより、ＤＣ／ＤＣコンバーター部２０は、所定の電圧を有する出力電圧ＶＯＵＴを各部に出力することとなる。
【００２１】
このとき発振周波数モニター部２１は、発振回路１８の発振周波数ｆＯを検出し、検出結果をコントロール部１２に出力する（ステップＳ１２）。
これにより、コントロール部１２は、まず、受信周波数ｆＲが発振周波数ｆＯのｋ倍の周波数（ただし、変数ｋは、自然数）と略等しいか否か、すなわち、
ｆＲ≒ｋ・ｆＯ
であるか否かを判別する（ステップＳ１３）。
この場合において、ｋ・ｆＯの周波数が、受信周波数ｆＲに影響を与えない程度に十分大きく超えるまで、すなわち、
ｆＲ＜＜ｋ・ｆＯ
となるまで、変数ｋを１から１ずつ加算した値に変更しつつ、同様の判別を行うこととなる。
【００２２】
ステップＳ１３の判別において、受信周波数ｆＲが発振周波数ｆＯのｋ倍の周波数とは大きく異なる場合（例えば、５０ｋＨｚ以上異なる場合）には（ステップＳ１３；Ｎｏ）、発振回路１８の生成している発振周波数ｆＯが受信周波数ｆＲに与える影響は無い、すなわち、受信状態に与える影響はないものとして、ＤＣ／ＤＣコンバーター部２０において、そのままの発振周波数ｆＯを用いた電圧変換処理を継続させ、処理を再びステップＳ１１に移行することとなる。
【００２３】
ステップＳ１３の判別において、受信周波数ｆＲが発振周波数ｆＯのｋ倍の周波数と略等しい場合には、発振周波数ｆＯがチューナー部１４の受信に影響を与える可能性があるので、発振回路１８で生成する発振周波数の候補を定めるために、予め発振回路１８で変更先の周波数として二つ定めた周波数のうち、一方の周波数である発振周波数ｆＯ１を用い、受信周波数ｆＲが発振周波数ｆＯ１のｋ倍の周波数（ただし、ｋは、自然数）と略等しいか否か、すなわち、
ｆＲ≒ｋ・ｆＯ１
であるか否かを判別する（ステップＳ１４）。
この場合においても、ｋ・ｆＯ１の周波数が、受信周波数ｆＲに影響を与えない程度に十分大きく超えるまで、すなわち、
ｆＲ＜＜ｋ・ｆＯ１
となるまで、変数ｋを１から１ずつ加算した値に変更しつつ、同様の判別を行うこととなる。
【００２４】
ステップＳ１４の判別において、受信周波数ｆＲが発振周波数ｆＯ１のｋ倍の周波数とは大きく異なる場合には（ステップＳ１４；Ｎｏ）、発振回路１８の生成している発振周波数ｆＯ１が受信周波数ｆＲに与える影響は無い、すなわち、受信状態に与える影響はないものとして、発振回路１８に生成させる発振周波数ｆＯ＝ｆＯ１と設定し（ステップＳ１５）、ＤＣ／ＤＣコンバーター部２０において、発振周波数ｆＯ１を用いた電圧変換処理を行わせ（ステップＳ１９）、処理を再びステップＳ１１に移行することとなる。
【００２５】
ステップＳ１４の判別において、受信周波数ｆＲが発振周波数ｆＯ１のｋ倍の周波数と略等しい場合には、発振周波数ｆＯ１についてもチューナー部１４の受信に影響を与える可能性があるので、発振回路１８で生成する発振周波数の候補を定めるために、予め発振回路１８で変更先の周波数として二つ定めた周波数のうち、他方の周波数である発振周波数ｆＯ２を用い、受信周波数ｆＲが発振周波数ｆＯ２のｋ倍の周波数（ただし、ｋは、自然数）と略等しいか否か、すなわち、
ｆＲ≒ｋ・ｆＯ２
であるか否かを判別する（ステップＳ１６）。
この場合においても、ｋ・ｆＯ２の周波数が、受信周波数ｆＲに影響を与えない程度に十分大きく超えるまで、すなわち、
ｆＲ＜＜ｋ・ｆＯ２
となるまで、変数ｋを１から１ずつ加算した値に変更しつつ、同様の判別を行うこととなる。
【００２６】
ステップＳ１６の判別において、受信周波数ｆＲが発振周波数ｆＯ２のｋ倍の周波数とは大きく異なる場合には（ステップＳ１６；Ｎｏ）、発振回路１８の生成している発振周波数ｆＯ２が受信周波数ｆＲに与える影響は無い、すなわち、受信状態に与える影響はないものとして、発振回路１８に生成させる発振周波数ｆＯ＝ｆＯ２と設定し（ステップＳ１７）、ＤＣ／ＤＣコンバーター部２０において、発振周波数ｆＯ２を用いた電圧変換処理を行わせ（ステップＳ１９）、処理を再びステップＳ１１に移行することとなる。
【００２７】
ステップＳ１６の判別において、受信周波数ｆＲが発振周波数ｆＯ２のｋ倍の周波数と略等しい場合には、発振周波数ｆＯ２についてもチューナー部１４の受信に影響を与える可能性があるので、発振回路１８で生成する発振周波数の候補として、受信状態に与える影響がない新たな発振周波数ｆＶを設定して（ステップＳ１８）、ＤＣ／ＤＣコンバーター部２０において、発振周波数ｆＶを用いた電圧変換処理を行わせ（ステップＳ１９）、処理を再びステップＳ１１に移行することとなる。
【００２８】
この場合において、発振周波数ｆＶの定め方としては、発振周波数ｆＶの整数倍の周波数が受信周波数ｆＲとならないように選択するとともに、当該発振周波数ｆＶで電圧変換処理を行った場合の出力電圧が受信装置１０の各部の動作が正常に行える所定の出力電圧範囲に収まるように選択することとなる。
以上の説明のように、本第１実施形態によれば、ＤＣ／ＤＣコンバーター部２０において発振回路の出力する発振信号の発振周波数は、受信周波数ｆＲに影響を与えない周波数とすることができ、良好な受信状態を確保することが可能となる。
【００２９】
［２］第２実施形態
次に本発明の第２実施形態について説明する。
本第２実施形態が、第１実施形態と異なる点は、予め発振周波数として選択可能な周波数をＭ個（Ｍは、３以上の整数）定めておき、これらＭ個の周波数ｆＶ１〜ｆＶＭの中から発振周波数を定める点である。
【００３０】
次に第２実施形態の具体的な動作について説明する。
図５は、第２実施形態における発振周波数変更処理を含む受信処理の処理フローチャートである。図５において、図４と同様の部分には同一の符号を付すものとする。
まず、チューナー部１４は、受信周波数ｆＲで受信処理を行う（ステップＳ１１）。
一方、ＤＣ／ＤＣコンバーター部２０は、車載バッテリー１１からの入力電圧ＶＩＮに基づいて発振周波数設定部１９が、スイッチング周波数に相当する発振周波数を発振回路１８が出力するように設定を行う。
これにより、ＤＣ／ＤＣコンバーター部２０は、所定の電圧を有する出力電圧ＶＯＵＴを各部に出力することとなる。
【００３１】
このとき発振周波数モニター部２１は、発振回路１８の発振周波数ｆＯを検出し、検出結果をコントロール部１２に出力する（ステップＳ１２）。
これにより、コントロール部１２は、まず、受信周波数ｆＲが発振周波数ｆＯのｋ倍の周波数（ただし、変数ｋは、自然数）と略等しいか否か、すなわち、
ｆＲ≒ｋ・ｆＯ
であるか否かを判別する（ステップＳ１３）。
この場合において、ｋ・ｆＯ１の周波数が、受信周波数ｆＲに影響を与えない程度に十分大きく超えるまで、変数ｋを１から１ずつ加算した値に変更しつつ、同様の判別を行うこととなる。
【００３２】
ステップＳ１３の判別において、受信周波数ｆＲが発振周波数ｆＯのｋ倍の周波数とは大きく異なる場合（例えば、５０ｋＨｚ以上異なる場合）には（ステップＳ１３；Ｎｏ）、発振回路１８の生成している発振周波数ｆＯが受信周波数ｆＲに与える影響は無い、すなわち、受信状態に与える影響はないものとして、ＤＣ／ＤＣコンバーター部２０において、そのままの発振周波数ｆＯを用いた電圧変換処理を継続させ（ステップＳ２７）、処理を再びステップＳ１１に移行することとなる。
【００３３】
ステップＳ１３の判別において、受信周波数ｆＲが発振周波数ｆＯのｋ倍の周波数と略等しい場合には、発振周波数ｆＯがチューナー部１４の受信に影響を与える可能性があるので、発振回路１８で生成する発振周波数の候補を定めるために、高調波の次数を定めるための変数ｋ＝１とし、予め定めたＭ個の発振周波数ｆＶ１〜ｆＶＭのうちのいずれかの周波数を特定するための変数ｍ＝１とする（ステップＳ２１）。
次に発振周波数ｆＶｍを用い、受信周波数ｆＲが発振周波数ｆＶｍのｋ倍の周波数と略等しいか否か、すなわち、
ｆＲ≒ｋ・ｆＶｍ
であるか否かを判別する（ステップＳ２２）。
ステップＳ２２の判別において、
ｆＲ≒ｋ・ｆＶｍ
である場合には、当該発振周波数ｆＶｍは、使うことができないので、変数ｋ＝１とし、変数ｍ＝ｍ＋１とし（ステップＳ２５）、処理を再びステップＳ２２に移行して、以下同様の処理を行う。
ステップＳ２２の判別において、
ｆＲ≒ｋ・ｆＶｍ
ではない場合には、ｋ・ｆＶｍの周波数が、受信周波数ｆＲに影響を与えない程度に十分大きく超えたか否か、すなわち、
ｆＲ＜＜ｋ・ｆＶｍ
でえあるか否かを判別する（ステップＳ２３）。
ステップＳ２３の判別において、
ｆＲ＜＜ｋ・ｆＶｍ
である場合には（ステップＳ２３；Ｙｅｓ）、発振回路１８の発振周波数として、ｆＶｍを用いたとしても、受信周波数ｆＲに影響を与えないことが確認されたので、発振回路１８に生成させる発振周波数ｆＯ＝ｆＶｍと設定し（ステップＳ２６）、ＤＣ／ＤＣコンバーター部２０において、発振周波数ｆＯ２を用いた電圧変換処理を行わせ（ステップＳ２７）、処理を再びステップＳ１１に移行することとなる。
ステップＳ２３の判別において、
ｆＲ＜＜ｋ・ｆＶｍ
では無い場合には（ステップＳ２３；Ｎｏ）、さらに発振周波数ｆＶｍの高次の高調波が受信周波数ｆＲに影響を与えるか否かを判別するために、変数ｋ＝ｋ＋１とし、再び処理をステップＳ２２に移行して、以下、同様の処理を行うこととなる。
以上の説明のように、本第２実施形態によれば、ＤＣ／ＤＣコンバーター部２０において発振回路の出力する発振信号の発振周波数を、予め定めたＭ個の発振周波数の内から受信周波数ｆＲに影響を与えない周波数とすることができ、良好な受信状態を確保することが可能となる。
以上の説明においては、受信周波数ｆＲに影響を与えない発振周波数ｆＶｍが定まった時点で当該発振周波数ｆＶｍを発振回路１８の発振周波数としていたが、Ｍ個の発振周波数の全てについて判別を行い、最も、受信周波数ｆＲと周波数が異なる周波数を発振周波数ｆＶｍとして選択するように構成することも可能である。
【００３４】
以上の説明においては、発振周波数モニター部２１をコントロール部１２とは別個に設けていたが、発振回路１８の発振周波数をコントロール部１２で直接監視できるインターフェース部をコントロール部１２が持っているのであれば、発振周波数モニター部２１を省略することも可能である。
【符号の説明】
【００３５】
１０  受信装置
１１  車載バッテリー
１２  コントロール部
１３  アンテナ
１４  チューナー部
１５  信号処理部
１６  スピーカー部
１７  アンプ部
１８  発振回路
１９  発振周波数設定部
２０  ＤＣ／ＤＣコンバーター部
２１  発振周波数モニター部
ＣＳＷ  切替制御信号
ＣＳＷ１  第１切替制御信号
ＣＳＷ２  第２切替制御信号
ｆＯ、ｆＯ１、ｆＯ２、ｆＶ  発振周波数
ｆＲ  受信周波数
Ｒ１  第１外付抵抗
Ｒ２  第２外付抵抗
ＲＶ  第３外付抵抗
ＳＳＷ  スイッチングパルス信号
ＳＷ  切替スイッチ
Ｔ１１、Ｔ１２  入力端子
Ｔ２１、Ｔ２２  出力端子
【図１】
2011035500.tif 000003
【図２】
2011035500.tif 000004
【図３】
2011035500.tif 000005
【図４】
2011035500.tif 000006
【図５】
2011035500.tif 000007